(57)【要約】【課題】  本発明は、顧客別に顧客ランクに対応した部屋を設け、来訪者の顧客ランクに有った部屋に迎え入れること。【解決手段】  顧客ランク別に複数の部屋を設けたエントランススペース2と、来訪者の顧客名51と顧客ランク52を対応付けた顧客リスト50とを備えたドアセキュリティシステム1において、該当する顧客名と顧客ランクを顧客カード40に記録し、この顧客カード40から顧客ランクを読み取った情報に従い、エントランススペース2に配置した複数の部屋20のうちこの来訪者の顧客ランクに相当する部屋にドア表示手段4にてドア表示する。【選択図】    図１
2009169803.tif 000002
【特許請求の範囲】
【請求項１】
来訪者を迎え入れるエントランススペースに設置されるとともに、顧客によってランク付けされた複数の部屋に顧客のランクに従って案内するためのドアセキュリティシステムにおいて、
来訪者名毎に来訪者識別データ及びこの来訪者識別データに対応して顧客ランク識別データを記録する顧客リストと、
ＩＣタグを設けた顧客カードと、
顧客カードに設けたＩＣカードに記録を行うＩＣタグ記録手段と、
上記エントランススペースの入口部に配置される認証手段と、
上記部屋毎に設けたドア表示手段と
を備え、
上記顧客リストにこの来訪者の来訪者識別データとこの顧客識別データに対応する顧客ランク識別データがある場合に、
これらの来訪者識別データと顧客ランク識別データとを上記ＩＣタグ記録手段にて上記顧客カードに設けたＩＣタグに記録し、
又上記認証手段にて、上記顧客カードのＩＣタグより顧客ランク識別データを読み出し、
当該顧客ランク識別データに対応した部屋において、上記ドア表示手段にてドア表示することを特徴とするドアセキュリティシステム。
【請求項２】
上記顧客リストには、既に記録されている顧客ランク識別データの無い新規の来訪者を対象とする顧客ランクが記録され、さらに、この新規に来た顧客を対象とする顧客ランクに対応する別部屋が用意されていることを前提とした請求項1項記載のドアセキュリティシステム。
【請求項３】
顧客ランク付けされた複数の部屋を表示する表示手段と、これらの部屋に来訪者が入ったことを示す来訪者入室表示手段とを備え、
且つこの来訪客の顧客ランクの部屋が全てふさがっている場合、この顧客ランクよりランクが直上から順に更にその上位の部屋で来訪者不在の部屋の中からのみ選択できる者不在部屋選択手段を備え、
又この顧客ランクより上位の部屋も全てふさがっている場合のみ、来訪者の顧客ランクの直下から順に笹にその下位の部屋から選択できる不在部屋選択手段を備えていることを特徴とする請求項1項記載のドアセキュリティシステム。
【請求項４】
顧客ランク付けされた複数の部屋を表示する表示手段と、これらの部屋に来訪者が入ったことを示す来訪者入室表示手段とを備え、且つ新規の来訪者を対象とする顧客ランク識別データの場合において、この来訪者専用の複数の別部屋が全てふさがっている場合のみ、上記新規の顧客ランクを除く顧客ランクの最下位の顧客ランクから順にその上位の来訪者不在の部屋を選択できる不在別部屋記録手段を備えていることを特徴とする請求項1項記載のドアセキュリティシステム。
【請求項５】
エントランススペースに、複数の壁部材を並べて形成した側壁の片側に隣接して顧客ランクに対応した複数の部屋を設け、又各部屋の側壁側のひとつの壁部材がドア兼用壁部材を構成し、且つドア兼用壁部材とそれ以外の壁部材が外観上同一の形態を備えるドアセキュリティシステムにおいて、上記顧客カードから上記認証手段で検出した顧客ランク識別データに応じた部屋のドア兼用壁部材にドア表示することを特徴とする請求項1項記載のドアセキュリティシステム。
【発明の詳細な説明】
【技術分野】
【０００１】
本発明は来訪者を複数の顧客ランクに分類し、その顧客ランクに応じた部屋に確実に誘導できるドアセキュリティシステムを提供することを目的とする。
【背景技術】
【０００２】
従来のドアセキュリティシステムとして、顧客ランクに応じて顧客を割り込ませて先に受け付けるものがある。(特許文献１)
【０００３】
またグループを識別して、この識別コードにより入退室を行うものがある。(特許文献２)
【特許文献１】特開2005-182424号公報
【特許文献２】特開2006-260045号公報
【発明の開示】
【発明が解決しようとする課題】
【０００４】
しかしながら、これら従来のドアセキュリティシステムは、単に上のランクの顧客を他の顧客より先に受付するとか、グループ別に入退出を行うものであり、その為受付を通過した後の優遇措置とか新規来訪者の扱いについて決められておらず、重要顧客に不満を与えたり、新規来訪者の顧客の扱いに困るといった問題を有していた。
【０００５】
そこで本発明は、来訪者の顧客ランクに応じた部屋にドア表示するドアセキュリティシステムを提供することを目的としている。
【０００６】
また本発明は、複数の部屋を備えたエントランススペースに来訪者を導き、そのうちの一つの部屋に来訪者を迎え入れるドアセキュリティシステムにおいて、来訪者の顧客名とこの来訪者に対応した顧客ランクとを記録した顧客カードから、エントランススペースの入口に設けた認証手段で読み出した顧客ランクに応じた部屋を読み出し、この部屋にドア表示するようにしても良い。
【０００７】
又、本発明は、新規の来訪者用の顧客ランクを設け、これを新規顧客ランクと呼べば、新規顧客ランクを上記顧客カードに記録し、この顧客カードを介して、上記認証手段で、この新規顧客ランクを読み出し、この読み出した情報に基づき新規顧客用に設けた別部屋にドア表示するようにしても良い。
【０００８】
又本発明は、顧客を受け入れるために用意した顧客ランク別の複数の部屋において、特定顧客ランクのために用意した部屋が来訪者で一杯の状態で、この顧客ランクの来訪者が来た場合に、別ランクの部屋に迎え入れる部屋の選択方法を提示するようにしても良い。
【０００９】
又本発明は、ドア兼用壁部材とそれ以外の壁部材が外観上同一の形態を備え、これらの壁部材で側壁を構成し、且つこの側壁に隣接して側壁の片側に顧客ランクに応じた複数の部屋を設けたドアセキュリティシステムにおいて、来訪者を顧客ランクに応じた部屋のドア兼用壁部材にドア表示するようにしても良い。
【課題を解決するための手段】
【００１０】
上記目的を達成するために、本発明は来訪者を迎え入れるエントランススペースに設置されるとともに、顧客によってランク付けされた複数の部屋に顧客のランクに従って案内するためのドアセキュリティシステムにおいて、来訪者名毎に来訪者識別データ及びこの来訪者識別データに対応して顧客ランク識別データを記録する顧客リストと、ＩＣタグを設けた顧客カードと、顧客カードに設けたＩＣカードに記録を行うＩＣタグ記録手段と、上記エントランススペースの入口部に配置される認証手段と、上記部屋毎に設けたドア表示手段とを備え、上記顧客リストにこの来訪者の来訪者識別データとこの顧客識別データに対応する顧客ランク識別データがある場合に、これらの来訪者識別データと顧客ランク識別データとを上記ＩＣタグ記録手段にて上記顧客カードに設けたＩＣタグに記録し、
又上記認証手段にて、上記顧客カードのＩＣタグより顧客ランク識別データを読み出し、当該顧客ランク識別データに対応した部屋において、上記ドア表示手段にてドア表示するようにしたものである。
【００１１】
上記目的を達成するために、本発明は上記顧客リストには、既に記録されている顧客ランク識別データの無い新規の来訪者を対象とする顧客ランクが記録され、さらに、この新規に来た顧客を対象とする顧客ランクに対応する別部屋が用意されるようにしたものである。
【００１２】
上記目的を達成するために、本発明は顧客ランク付けされた複数の部屋を表示する表示手段と、これらの部屋に来訪者が入ったことを示す来訪者入室表示手段とを備え、且つこの来訪客の顧客ランクの部屋が全てふさがっている場合、この顧客ランクよりランクが直上から順に更にその上位の部屋で来訪者不在の部屋の中からのみ選択できる者不在部屋選択手段を備え、又この顧客ランクより上位の部屋も全てふさがっている場合のみ、来訪者の顧客ランクの直下から順に笹にその下位の部屋から選択できる不在部屋選択手段を備えているようにしたものである。
【００１３】
上記目的を達成するために、顧客ランク付けされた複数の部屋を表示する表示手段と、これらの部屋に来訪者が入ったことを示す来訪者入室表示手段とを備え、且つ新規の来訪者を対象とする顧客ランク識別データの場合において、この来訪者専用の複数の別部屋が全てふさがっている場合のみ、上記新規の顧客ランクを除く顧客ランクの最下位の顧客ランクから順にその上位の来訪者不在の部屋を選択できる不在別部屋記録手段を備えているようにしたものである。
【００１４】
上記目的を達成するために、本発明はエントランススペースに、複数の壁部材を並べて形成した側壁の片側に隣接して顧客ランクに対応した複数の部屋を設け、又各部屋の側壁側のひとつの壁部材がドア兼用壁部材を構成し、且つドア兼用壁部材とそれ以外の壁部材が外観上同一の形態を備えるドアセキュリティシステムにおいて、上記顧客カードから上記認証手段で検出した顧客ランク識別データに応じた部屋のドア兼用壁部材にドア表示するようにしたものである。
【発明の効果】
【００１５】
以上の説明から明らかなように、この発明に係わるドアセキュリティシステムは、以下に列挙する効果が得られる。
【００１６】
(1)  本発明は、顧客ランクに応じた複数の部屋を備えたエントランススペースにおいて、来訪者の顧客ランクに応じた部屋にドア表示が出来る。
【００１７】
(2)  又本発明は、新規の来訪者を対象とする顧客ランクが顧客リストに記録され、又この新規の来訪者を対照とする別部屋を準備できる。
【００１８】
(3)   又本発明は、来訪者の顧客ランクに応じた部屋が全てふさがっている場合は、先ずこの来訪者の顧客ランクより直下から順に上の顧客ランクの空部屋を選択し、全てふさがっている場合に、この顧客ランクより直上から順に下の顧客ランクの空き部屋を選択することができる。
【００１９】
(4)   又本発明は、新規の来訪者の顧客ランクに応じた別部屋が全てふさがっている場合は、新規来訪者用の顧客ランクを除く最下位の顧客ランクより順に上位に向けて空き部屋を選択することができる。
【００２０】
(5)  又本発明は、外観上同一の形態を備える壁部材から成る側壁の一方に、顧客ランク別の複数の部屋を備えたドアセキュリティシステムにおいて、来訪者の顧客ランクに応じた部屋のドアを兼用する壁部材にドア表示することが出来る。
【発明を実施するための最良の形態】
【００２１】
以下本発明を実施するための最良の形態について図1ないし図12を参照して詳細に説明する。図1はエントランススペースの全体平面図を、図2は、図1においてA-Aにて断面を取って壁部材_左2を見た斜視図を、図3は、図2において壁部材_左2をB-Bにて断面を切って示す壁部材の断面図を示す
【００２２】
又、図4は壁部材_左2において、前面部材14を外した状態の正面図を、図5はドア兼用壁部材_左2が開いた状態を示す平面図を、図6は受付スペースの平面図を、図7は顧客カードの平面図を示す。
【００２３】
図8は顧客リストの説明図を、図9は顧客情報収納手段の説明図を示す。
又、図10から図12は、本発明を実施するための最良の形態として説明するフローチャート図を示す。
【００２４】
図1に示す本発明を実施するための最良の形態において、エントランススペース2と、このエントランススペース2内に通路7と、この通路7の側壁8が設けられており、この側壁8に隣接し且つ側壁8の片側に、顧客ランク分けされた応接室23、会議室24等から構成される複数の部屋20、新規来訪者用の別部屋25等が配置されている。
【００２５】
これら複数の部屋としては、上記は本発明の一例として示したものであり、応接室、会議室以外の構成であっても良く、又、本例では複数の部屋をエントランススペース２に集約した例として示したが、エントランススペース以外の場所に点在する部屋を加えたり、特にエントランススペースを設けず、点在する複数の部屋に対しても本発明を応用することが可能である。
【００２６】
又本発明を実施するための最良の形態について、側壁8は図2にも示すように壁部材10、11(以下これらの壁部材を代表して壁部材10を取り上げて説明する。)と、上壁部材101とが上下に配置されたものが1セットとなって、複数のセットが横に隣接して配置されており、図1に示すように部屋20に隣接した壁部材10の一部がドアと兼用するドア兼用壁部材19となっている。
【００２７】
ここで説明した上壁部材101を上記した如く、壁部材10の更にその上部に設けており、この上壁部材101に、その直下にある壁部材がドア兼用であることを示すよう表示する別の実施例として示している。しかし不要であれば省略してかまわない。
【００２８】
上記ドア兼用壁部材19には図3、図4に示すように前部材14と後面部材15で形成される空隙16に照明装置42を内蔵した入口文字表示手段17又は／及び発光表示手段12から構成されるドア表示手段4、人認証手段18を配置している。
【００２９】
ここで照明手段42の電源ONの状態で、上記前面部材14を介してドア表示手段4に文字や発光表示等によるドア表示が認知でき、又電源OFFの状態で上記前面部材14を介して認知できないような半透明部材で前面部材14が構成されている。
【００３０】
又、ドア兼用壁部材19と、それ以外の壁部材10の前面部材14は、何れも概観形態が同一となっており、上記入口文字表示手段17、発光表示手段12が電源ＯＦＦの状態で、これらのドア兼用壁部材19の前面部材14と、それ以外の壁部材10の前面部材14との区別が認識できないよう構成されている。
【００３１】
又本発明を実施するための最良の形態について、顧客名51に対応して顧客ランク53を定めた顧客リスト50を設けている。この説明図を図8に示す。 この顧客ランクは例えばこれまで来訪した顧客、つまり今迄お付き合いのあった顧客に対して、重要顧客か否かでランク分けして決めているが、他の評価基準で決めてもかまわない。
【００３２】
ここで顧客ランク52として図8で示したＡからＤを顧客ランク識別データ53とも呼ぶ。又顧客リスト50に顧客名51を記録する例として示したが、顧客名51に変えて来訪者識別コード54を記録するよう構成しても構わない。
【００３３】
又、新規の来訪者に関しては、本発明では顧客ランク52に新規顧客用の新規来訪者識別データ55を記録するように構成し、又エントランススペース2にこの新規来訪者を迎え入れる別部屋25を設けるように構成しているが、新規の来訪者を顧客ランク外とし、このランク外の顧客用の別部屋を設けるよう構成することもできる。
本明細書では顧客名51、来訪者識別データ54をまとめて顧客名51に、又顧客ランク52と顧客ランク識別データ53とを、まとめて顧客ランク52として呼称する。
【００３４】
次に本発明を実施するための最良の形態として示すドアセキュリティシステムの手順を図6から図12を用いて説明する。
本発明を以上説明した構成としたので、来訪者35が受付3に来た場合、顧客情報収納手段60より呼び出し、受付3に設けた表示手段32に表示した顧客リスト50に顧客名51の記載がある場合は、この顧客名51と、この顧客名51に対応して記録されている顧客ランク52とを、別に設けた顧客カード40に設けたＩＣタグ41に、受付3に配置しているＩＣタグ記録手段33にて記録するよう構成している。
【００３５】
そこで先ず受付3に来た来訪者の顧客ランク52を顧客カード40に記録する手順を説明する。
受付3では顧客情報収納手段60に収納された顧客リスト50を読み出し、パソコンのディスプレイ等の表示手段32にこの顧客リスト50を表示する。(図10のフロー-1_第1ステップ)
【００３６】
この顧客リスト50中に来訪者の顧客名51があるか検索し、有る場合はこの顧客名51と、この顧客名に対応して記録されている顧客ランク52とをＩＣタグ記録手段33に出力する。(図10のフロー-1_第2ステップ、第3-1ステップ)
【００３７】
又、無い場合は顧客名51として新規の来訪者名を、又顧客ランク52として新規来訪者識別データ55をＩＣタグ記録手段33に出力する。(図10のフロー-1_第3-2ステップ)
【００３８】
出力された顧客名51と顧客ランク52とをＩＣタグ記録手段33で顧客カード40中のＩＣタグ41に記録・保存する。この顧客カード40を来訪者35に携帯させエントランススペース2の入口6に導く。(図10のフロー1_第4ステップ)
【００３９】
以上の手順で、来訪者が受付3に来た場合、予めこの来訪者の顧客名51が顧客リスト50にある場合は、この顧客名51と、この顧客名51に対応して付与されている顧客ランク52とを、上記顧客カード40に記録・保存するよう構成している。
【００４０】
又、新規来訪者の場合は、顧客名51として来訪者名を、又顧客ランクとして新規来訪者識別データ55を、上記顧客カード40に記録・保存するように構成している。
【００４１】
本発明として以上説明した構成としたので、新規来訪者に対しては、顧客カード40に顧客ランク52として新規来訪者識別データ55を記録・保存することができる。又、顧客リスト50に顧客名51がある場合は、この顧客名51に対応して顧客ランク52を併記してあるので、顧客名51と顧客ランク52とを顧客カード40に記録・保存することができる。
【００４２】
次にエントランススペース２で、来訪者の顧客ランク52に応じた部屋20にドア表示する手順を図6から図１１を用いて説明する。
【００４３】
エントランススペース2の入口6に配置した認証手段26にて、来訪者35の携帯する顧客カード40より、顧客ランク52を読み出す。(図11のフロー2_第1ステップ)
【００４４】
読み出した顧客ランク52が新規の来訪者識別データ55の場合は、新規来訪者用に設けた別部屋25にドア表示する。(図11のフロー2_第3-2ステップ)
【００４５】
又、読み出した顧客ランク52が新規来訪者識別データ55で無い場合は、読み出した顧客ランク52に相当する部屋にドア表示手段4の電源をＯＮすることによりドア表示するよう構成している。(図11のフロー2_第3-1ステップ)
【００４６】
本発明を以上説明した手順にて構成することにより、来訪者が新規の場合は、新規来訪者用に設けた別部屋25にドア表示することができる。
又、新規顧客で無い場合は、顧客カード40から読み出した顧客ランクに相当する部屋にドア表示することができる。
【００４７】
本発明を実施するための別の形態について以下説明する。
受付3に設置した表示手段32ではエントランススペース2に設置した複数の部屋20と、個々の部屋毎に設定した顧客ランク52と、来訪者が部屋に入っていないことを示す空情報27とを図示するように構成することができる。
【００４８】
この空情報27を表示する1例を図14に示す。本例では来訪者が部屋に入っていない空き部屋には、丸枠内に『空』の文字を入れて表示するように構成している。(この空部屋表示を以下に(空)表示と呼称する。)
しかし、空部屋に対して他に例えば部屋を示す枠線とか枠内の一部又は枠内全体を特定色で表示したり、逆に来訪者の入った部屋を着色し、来訪者の入っていない空部屋を無色で表示するよう構成することも可能である。
【００４９】
本例では来訪者に該当する顧客ランクの部屋のうち、空のある部屋の中から予め決められたルールに従って、選ばれた部屋(この部屋をここでは部屋Ａと呼ぶ。)を顧客カード40に記録し、この記録された部屋情報をエントランススペース2の入口６に設置した認証手段26にて検出し、この検出情報により上記部屋Ａにドア表示するよう構成している。
【００５０】
このように構成することにより、来訪者を、この来訪者の顧客ランク52に相当する空部屋にドア表示することが可能である。
【００５１】
以上説明したように、本発明では顧客ランク52に応じた複数の部屋20をエントランススペース2に設けた場合について、来訪者の顧客ランク52に応じた部屋20にドア表示する例として示した。
【００５２】
しかし顧客ランク52別に用意した複数の部屋数を超えて、同ランクの来訪者が来た場合の部屋選定手順に関し図12のフローチャート図を用いて以下説明する。
【００５３】
本例では受付3に上記とは別に部屋割振り制御手段37を配置している。この部屋割振り制御手段37は、受付３に配置した表示手段32を設けている例えばパソコンの機能の一部として設けても良く、又別個に独立して設けたり、又ドア兼用壁部材19の空隙部16に配置することも出来る。特許図としては受付３に独立して設けた事例(図6参照。)、及び上記間隙部16にも受けた事例(図3参照。)を表示した。この部屋割振り制御手段37は本発明の対象であるドアセキュリティシステム1のどこかに設けておき、下記に示す空き情報をエントランススペース2にも受けた複数の部屋20別に表示するように構成しても良い。
【００５４】
以下本例として部屋割り振り制御手段37を受付3に適用した事例を取り上げ説明する。
表示手段32に表示した顧客ランク52と、来訪者が入っていないことを示す空情報27とを、部屋毎に表示したエントランススペース画面において、来訪者の顧客ランク52は本発明として説明した上記の手順で求めることができる。この手順を図12に示すフローチャート図を用いて以下詳細に説明する。
【００５５】
先ず最初のステップとして、顧客ランク52に相当する部屋20に空きが有るかが、部屋割振り制御手段37にて判定される。(図12_フロー3_第1ステップ)
【００５６】
ところで、来訪者の顧客ランク52に相当する部屋20に空きが有るかどうかについては、次のようにして求めることが可能である。
部屋割振り制御手段37には、エントランススペース2に配置した全ての部屋20に関し各部屋単位で部屋識別データ21が付与されこのデータが記録されている。
【００５７】
また上記の部屋割振り制御手段37をリセットすることにより、全ての部屋20が空部屋として認識され、エントランススペース２に設けた全ての部屋20を表示した画面上の全部屋に、例えば図15に示すように(空)表示がなされるよう構成している。
【００５８】
上記した本発明を実施する別の事例では、部屋に来訪者が入った場合にはこの部屋の(空)表示が消され、例えば打ち合わせ等が終了し来訪者が部屋を出た場合は、この情報を例えば受付で得て、この部屋の(空)表示がなされるよう構成している。
【００５９】
しかし本発明として示す別の実施例として、受付3にて来訪者が入る予定の部屋を選定した時点で、この部屋の(空)表示が消され、この来訪者が受付3に顧客カード40を返却した時点で、この部屋に(空)表示するように構成することも可能である。
【００６０】
以上説明した手順で部屋割振り制御手段37にて空部屋をエントランススペース2に配置した部屋単位で、図示確認することができる。
【００６１】
この部屋割振り制御手段37は、本発明として示す本例では原則として一日一回、例えば早朝の予め設定してある特定時間にリセットするよう構成したが、別にリセットをかける時点で使用している部屋があった場合は、この部屋を除いてリセットしたり、長期間の休日がある場合にリセットし、通常はリセットしない運用も可能である。
【００６２】
上記段落〔0055〕にて顧客ランク別の複数の部屋の空状態を考慮して部屋を割り当てる手順の第1ステップを説明したが、以下この手順の続きを説明する。部屋に来訪者が入っていない、つまり空部屋の場合は、該当する部屋の部屋識別データ58に相当する部屋に(空)表示するよう、割振り制御手段37より表示手段32に出力するよう構成している。
(図12_フロー3_第10ステップ)
【００６３】
一方、来訪者の顧客ランク52に相当する部屋20に空きが無い場合は、この顧客ランク52より一つ上の顧客ランクに相当する部屋の空きをチェックし、空きがある場合は、該当する部屋の部屋識別データ58に相当する部屋に(空)表示するよう、割振り制御手段37より表示手段32に出力するよう構成している。
【００６４】
又、空きが無い場合は、逐次一つ上の顧客ランクに相当する部屋の空きをチェックし、該当する空部屋を捜すよう構成している。
(図12_フロー3_第２ステップ)
【００６５】
本例では、空部屋が無い場合逐次一つ上(直上)の顧客ランクに関して、その上限として最上ランクまでではなく、適当な顧客ランク(これを上限の顧客ランクと呼ぶ。)以上には上がらない様構成している。しかし最上ランクまで空部屋を探したり、部屋に入れた顧客により上限の顧客ランクを変動させる等のほかの運用としても良い。
(図12_フロー3_第3-1、3-2ステップ)
【００６６】
次に予め決められた上限の顧客ランクまで該当する空部屋が無かった場合は、来訪者の顧客ランクより一つ下(直下)の顧客ランクに該当する部屋の空きの有無を確認し、上記段落〔0063〕から段落〔0065〕に示すのと同様な手順で、ここでは空き部屋が無い場合は、逐次一つ下の顧客ランクに相当する部屋の中で空部屋を捜すよう構成している。(図12_フロー3_第4ステップから第10ステップ)
【００６７】
ここで、上記した如く来訪者の顧客ランクの上で空部屋を探す場合に上限の顧客ランクを設定したように、顧客ランクの最下位ではない適当な下限の顧客ランクを設定し、この下限の顧客ランクまで空部屋を捜すよう構成したり、来訪者の顧客ランクを中心に例えば2ランク上までとか２ランク下までとか言った、空部屋を探す顧客ランクに別の設定を行うことも可能である。
(図12_フロー3_第4ステップから第6ステップ)
【００６８】
以上説明した如く、本例にては来訪者の顧客ランクに相当する部屋に空きが無かった場合は、先ずこの来訪者の顧客ランクの直上の顧客ランクから順に上限の顧客ランクまで空部屋を探し、それでも無い場合は、次にこの来訪者の顧客ランクの直下の顧客ランクから順に下限の顧客ランクまで空部屋を探す例として説明した。しかし来訪者の顧客ランクより下のランクの部屋に入れるのは失礼であるとして、来訪者の顧客ランクより上のランクの部屋の身から空部屋を捜すよう運用することもできる。
【００６９】
以上説明した手順で、来訪者の顧客ランク以外の空部屋を探し、空部屋が無かった場合該当する来訪者を複数受け入れる待機用の部屋22(図示せず。)にドア表示するよう構成している。
(図12_フロー3_第4ステップから第9ステップ)
【００７０】
又、本例では待機用の部屋22に入った来訪者に対して、時系列に先に入った来訪者から順に空きの出来た部屋に入るよう構成している。しかし空いた部屋の顧客ランクと同じ顧客ランクの来訪者を入れるよう構成したり、顧客ランクの上の来訪者を他の来訪者より先に入れるよう構成することも可能である。
【００７１】
本発明を実施するための最良の形態、別の形態を以上説明した構成とすることにより、新規の来訪者を含めた来訪者に対して、顧客ランクに応じた部屋20か、待機用の部屋22のいづれかにドア表示することができる。
【００７２】
本発明を実施するための最良の形態、別の形態を以上の如く説明したので、側壁８を構成するドア兼用壁部材19とそれ以外の壁部材10とは、ドア兼用壁部材19に設けたドア表示手段4の電源がＯＦＦの場合は、両者とも外観形態が同一に形成されているため、どこに入口があるか認識できないよう構成されている、
【００７３】
更に、本発明を実施するための形態を以上の如く説明したので、複数の顧客ランクに分けた複数の部屋を設けたエントランススペース2では、原則として、このエントランススペース2の入口6に配置した認証手段26で顧客カード40から読み取った顧客ランク52に相当する部屋にのみドア表示できるため、来訪者は他のドアを確認することなく、このドア表示した部屋の前に確実に導くことが出来る。
【００７４】
更にこの来訪者の顧客ランクに相当する部屋がふさがっている場合は、この来訪者の顧客ランク外の空部屋を探すことが出き、更に全ての空部屋がふさがっている場合は待機用の部屋にドア表示することが出来る。
【００７５】
以上説明したように、来訪者の顧客ランク52に相当する部屋にドア表示を行うことが出来るが、このドア表示された部屋に来訪者を迎え入れる技術に関しては本発明の対象外なので本明細書では触れない。しかしこの技術に関しても検討を進めており、その内容の詳細は別出願にまとめて開示する予定である。
【産業上の利用可能性】
【００７６】
本発明はドアセキュリティシステムの産業で、好適には来訪者を顧客ランクに分けて、対応する部屋に迎え入れるドアセキュリティシステムとして利用される。
【図面の簡単な説明】
【００７７】
【図１】エントランススペースの全体平面図
【図２】図１においてＡ―Ａ方向から側壁_左を見た斜視図
【図３】図２において壁部材_左2 をＢ−Ｂにて断面を切って示す壁部材の断面図
【図４】壁部材_左2において、前面部材14を外した状態の正面図
【図５】ドアを兼用する壁部材_左2が開いた状態を示す平面図
【図６】受付の全体平面図
【図７】顧客カードの平面図
【図８】顧客リスト説明図
【図９】顧客情報収納手段説明図
【図１０】受付に来た来訪者の顧客ランクを顧客カードに記録する迄の            手順を説明するフローチャート図
【図１１】エントランススペース2で、来訪者の顧客ランクに応じた部屋に            ドア表示する手順を説明するフローチャート図
【図１２】顧客ランクに応じて設けた複数の部屋数を超えて同ランクの            来訪者が来た場合の部屋選定手順を説明するフローチャート図
【図１３】受付に来た来訪者の顧客ランクを顧客カードに記録する迄の            手順として別の形態を説明するフローチャート図
【図１４】部屋空情報を示すエントランススペースの全体平面図。
【図１５】部屋割振り制御手段37がリセットされた状態を示すエントランススペースの全体平面図。
【符号の説明】
【００７８】
・  ドアセキュリティシステム
・  エントランススペース
・  受付
・  ドア表示手段
・  入口
・  通路
・  側壁
10  壁部材_左
11  壁部材_右
12  発光手段
13  回動
・  前面部材
・  後面部材
・  空隙
・  入口文字表示手段
・  人認証手段
・  ドア兼用壁部材
・  部屋
・  部屋識別データ
・  待機用の部屋
・  応接室
・  会議室
・  別部屋
・  部屋認証手段
32  表示手段
33  ＩＣタグ記録手段
・  来訪者
・  部屋割振り制御手段
39  個人識別照合手段
・  顧客カード
・  ＩＣタグ
・  証明手段
・  フロー２_第１ステップ
・  フロー２_第２ステップ
・  フロー２_第3-1ステップ
・  フロー２_第3-2ステップ
48  顧客カード読み出し情報
49  認証手段読み出し情報
・  顧客リスト
・  顧客名 
・  顧客ランク
・  顧客ランク識別データ
・  来訪者識別データ
・  新規来訪者識別データ
58  部屋識別データ
・  顧客情報収納手段
62  フロー1_第1ステップ
・  フロー1_第2ステップ
・  フロー1_第3-1ステップステップ
・  フロー1_第3-2ステップ
・  フロー1_第4ステップ
68  フロー1_第2-2ステップ
70  顧客待合室
・  フロー3_第1ステップ
・  フロー3_第2ステップ
・  フロー3_第3ステップ
・  フロー3_第4ステップ
・  フロー3_第5ステップ
・  フロー3_第6ステップ
・  フロー3_第7ステップ
・  フロー3_第8ステップ
・  フロー3_第9ステップ
93  フロー3_第3-2ステップ
101  上壁部材
【図１】
2009169803.tif 000003
【図２】
2009169803.tif 000004
【図３】
2009169803.tif 000005
【図４】
2009169803.tif 000006
【図５】
2009169803.tif 000007
【図６】
2009169803.tif 000008
【図７】
2009169803.tif 000009
【図８】
2009169803.tif 000010
【図９】
2009169803.tif 000011
【図１０】
2009169803.tif 000012
【図１１】
2009169803.tif 000013
【図１２】
2009169803.tif 000014
【図１３】
2009169803.tif 000015
【図１４】
2009169803.tif 000016
【図１５】
2009169803.tif 000017